(57)【特許請求の範囲】
【請求項１】
機体前部の刈取部にて刈取られた刈取穀稈を機体後方に向けて搬送するフィーダが備えられ、
前記フィーダに、穀稈搬送用の筒型のフィーダケースと、前記フィーダケースの搬送方向下手側の内部に架設された横向きの下手側回転軸と、前記下手側回転軸の軸芯方向に間隔をあけて前記下手側回転軸に備えられた一対の下手側張設用輪体と、前記フィーダケースの搬送方向上手側の内部に架設された横向きの上手側回転軸と、前記上手側回転軸に備えられた上手側張設用輪体と、前記下手側張設用輪体と前記上手側張設用輪体とにわたって巻回されるとともに前記軸芯方向に間隔をあけて備えられた一対の無端回動体と、一対の前記無端回動体にわたって横向きに架設される複数の搬送部材と、前記一対の下手側張設用輪体同士の間において前記下手側回転軸に外挿される筒状の巻付き防止カバーとが備えられ、
前記巻付き防止カバーの上部面が、前記無端回動体の直線移動経路に沿う姿勢又は略沿う姿勢に形成されている普通型コンバイン。
【請求項２】
機体前部の刈取部にて刈取られた刈取穀稈を機体後方に向けて搬送するフィーダが備えられ、
前記フィーダに、穀稈搬送用の筒型のフィーダケースと、前記フィーダケースの搬送方向下手側の内部に架設された横向きの下手側回転軸と、前記下手側回転軸の軸芯方向に間隔をあけて前記下手側回転軸に備えられた一対の下手側張設用輪体と、前記フィーダケースの搬送方向上手側の内部に架設された横向きの上手側回転軸と、前記上手側回転軸に備えられた上手側張設用輪体と、前記下手側張設用輪体と前記上手側張設用輪体とにわたって巻回されるとともに前記軸芯方向に間隔をあけて備えられた一対の無端回動体と、一対の前記無端回動体にわたって横向きに架設される複数の搬送部材と、前記一対の下手側張設用輪体同士の間において前記下手側回転軸に外挿される筒状の巻付き防止カバーとが備えられ、
前記巻付き防止カバーの上部面が、前記フィーダケースの上手側ほど前記無端回動体の下側の直線移動経路に近づくように傾斜する傾斜面に形成されている普通型コンバイン。
【請求項３】
機体前部の刈取部にて刈取られた刈取穀稈を機体後方に向けて搬送するフィーダが備えられ、
前記フィーダに、穀稈搬送用の筒型のフィーダケースと、前記フィーダケースの搬送方向下手側の内部に架設された横向きの下手側回転軸と、前記下手側回転軸の軸芯方向に間隔をあけて前記下手側回転軸に備えられた一対の下手側張設用輪体と、前記フィーダケースの搬送方向上手側の内部に架設された横向きの上手側回転軸と、前記上手側回転軸に備えられた上手側張設用輪体と、前記下手側張設用輪体と前記上手側張設用輪体とにわたって巻回されるとともに前記軸芯方向に間隔をあけて備えられた一対の無端回動体と、一対の前記無端回動体にわたって横向きに架設される複数の搬送部材と、前記一対の下手側張設用輪体同士の間において前記下手側回転軸に外挿される筒状の巻付き防止カバーとが備えられ、
前記巻付き防止カバーが、周方向に分割された複数の分割カバー体にて構成され、
前記下手側回転軸における前記一対の下手側張設用輪体同士の横方向中間側に隣接する箇所に位置して前記下手側回転軸に相対回転自在に支持される一対のボス部材と、一対の前記ボス部材同士を連結する連結部材とが備えられ、
前記巻付き防止カバーが前記連結部材を覆っている普通型コンバイン。
【請求項４】
前記巻付き防止カバーが前記連結部材に支持されている請求項３に記載の普通型コンバイン。
【請求項５】
前記連結部材に、前記分割カバー体の周方向端部と重なり合う取付面が備えられている請求項３又は４に記載の普通型コンバイン。
【請求項６】
前記連結部材のうち前記巻付き防止カバーの周方向における両端部に、前記取付面が備えられている請求項５に記載の普通型コンバイン。
【請求項７】
前記分割カバー体における前記取付面への複数の締結箇所が、前記下手側回転軸の軸芯方向に沿って並ぶ状態で設けられている請求項５又は６に記載の普通型コンバイン。
【請求項８】
前記分割カバー体の周方向端部の両側又は一方において、前記分割カバー体のうち外周側に位置する前記分割カバー体が隣り合う前記分割カバー体と重なり合っていない箇所で前記取付面に締結されている請求項７に記載の普通型コンバイン。
【請求項９】
前記連結部材が、前記各ボス部材に対して、一対の前記ボス部材の中間部側から各ボス部材側に向けて前記軸芯方向に沿ってボルト連結され、
前記巻付き防止カバーのうちのいずれかの前記分割カバー体によって、前記連結部材と前記ボス部材との連結箇所が覆われている請求項３から８のいずれか１項に記載の普通型コンバイン。
【請求項１０】
機体前部の刈取部にて刈取られた刈取穀稈を機体後方に向けて搬送するフィーダが備えられ、
前記フィーダに、穀稈搬送用の筒型のフィーダケースと、前記フィーダケースの搬送方向下手側の内部に架設された横向きの下手側回転軸と、前記下手側回転軸の軸芯方向に間隔をあけて前記下手側回転軸に備えられた一対の下手側張設用輪体と、前記フィーダケースの搬送方向上手側の内部に架設された横向きの上手側回転軸と、前記上手側回転軸に備えられた上手側張設用輪体と、前記下手側張設用輪体と前記上手側張設用輪体とにわたって巻回されるとともに前記軸芯方向に間隔をあけて備えられた一対の無端回動体と、一対の前記無端回動体にわたって横向きに架設される複数の搬送部材と、前記一対の下手側張設用輪体同士の間において前記下手側回転軸に外挿される筒状の巻付き防止カバーとが備えられ、
前記巻付き防止カバーが、周方向に分割された複数の分割カバー体にて構成され、
前記一対の下手側張設用輪体夫々の前記軸芯方向外方側に、前記下手側回転軸を内挿して回転自在に支持する筒状支持部が備えられ、
前記下手側張設用輪体の前記軸芯方向外方側の側面に、前記筒状支持部の端部を覆う筒状の覆い部が備えられ、
前記筒状支持部の外周部のうち、前記覆い部によって覆われる箇所に、前記覆い部の内周部に向かって立ち上がる環状の鍔状部が備えられている普通型コンバイン。
【請求項１１】
前記下手側回転軸よりも搬送方向上手側に位置して前記フィーダケースの内部に架設された横向きのフレーム体と、
前記巻付き防止カバーと前記フレーム体とにわたって設けられた接続部材とが備えられ、
前記巻付き防止カバーが、前記接続部材によって回り止めされた状態で前記フィーダケースに支持されている請求項３から１０のいずれか１項に記載の普通型コンバイン。
【請求項１２】
前記接続部材が、前記複数の分割カバー体のうちのいずれかと前記フレーム体とにわたって設けられている請求項１１に記載の普通型コンバイン。
【請求項１３】
前記接続部材に、前記巻付き防止カバーに連結された第一接続体と、前記第一接続体に連結されるとともに前記フレーム体に接続された第二接続体とが備えられている請求項１１又は１２に記載の普通型コンバイン。
【請求項１４】
前記接続部材は、前記巻付き防止カバーと前記フレーム体とにわたって設けられた縦向き姿勢の板状体である請求項１１から１３のいずれか１項に記載の普通型コンバイン。
【請求項１５】
前記巻付き防止カバーと前記フレーム体との間に、前記一対の下手側張設用輪体の間にわたって上下に開放された開放空間が形成されている請求項１４に記載の普通型コンバイン。
【請求項１６】
前記接続部材が、前記巻付き防止カバーと前記フレーム体とにわたって設けられた横向き姿勢の板状体である請求項１１から１３のいずれか１項に記載の普通型コンバイン。
【請求項１７】
前記巻付き防止カバーに、前記接続部材を載置支持するカバー側載置支持部が備えられている請求項１６に記載の普通型コンバイン。
【請求項１８】
前記フレーム体に、前記接続部材を載置支持するフレーム側載置支持部が備えられている請求項１６又は１７に記載の普通型コンバイン。
【発明の詳細な説明】
【技術分野】
【０００１】
本発明は、機体前部の刈取部にて刈取られた刈取穀稈を機体後方に向けて搬送するフィーダが備えられた普通型コンバインに関する。
【背景技術】
【０００２】
普通型コンバインにおけるフィーダは、筒型のフィーダケース内に、搬送方向下手側の内部に下手側回転軸としての駆動軸が備えられ、駆動軸の軸芯方向に間隔をあけて一対の駆動スプロケットが備えられる。一対のスプロケットと、搬送方向上手側の従動スプロケットとにわたり一対の無端回動チェーンが巻回され、それらにわたって複数の搬送部材が架設される状態で備えられる。そして、無端回動チェーンの下側に位置する回動経路にて刈取穀稈を搬送して、搬送終端部から機体後方側に位置する脱穀装置に向けて刈取穀稈を排出するように構成されている。
【０００３】
従来では、一対の駆動スプロケット夫々の横方向中間側に隣接する状態で一対のボス部材が備えられ、それら一対のボス部材にわたって支持される状態で、駆動軸の外周を覆う状態で筒状に形成された巻付き防止カバーが備えられたものがあった。尚、巻付き防止カバーは回り止め部材によって回り止めされている（例えば、特許文献１参照）。
【先行技術文献】
【特許文献】
【０００４】
【特許文献１】特開２０１５−３５９８４号公報
【発明の概要】
【発明が解決しようとする課題】
【０００５】
上記従来構成は、巻付き防止カバーが駆動軸の外周を覆う状態で筒状に形成されるものであるから、巻付き防止カバーを装着する場合、あるいは、修理交換等のメンテナンス作業を行う場合等において、煩わしい手間のかかる作業が必要となっていた。
【０００６】
すなわち、巻付き防止カバーを装着したり、メンテナンスのために取り外したりするときには、少なくとも駆動軸の一方側の軸端部を開放させた状態で、巻付き防止カバーを軸芯方向にスライドさせて駆動軸の外周側に外挿したり、外方に引き出す等の煩わしい作業が必要となる。その結果、巻付き防止カバーの取り付け作業や取り外し作業が手間のかかるものとなっていた。
【０００７】
そこで、巻付き防止カバーの取り付けや取り外しを能率よく行えるようにすることが望まれていた。
【課題を解決するための手段】
【０００８】
本発明に係る普通型コンバインの特徴構成は、
機体前部の刈取部にて刈取られた刈取穀稈を機体後方に向けて搬送するフィーダが備えられ、
前記フィーダに、穀稈搬送用の筒型のフィーダケースと、前記フィーダケースの搬送方向下手側の内部に架設された横向きの下手側回転軸と、前記下手側回転軸の軸芯方向に間隔をあけて前記下手側回転軸に備えられた一対の下手側張設用輪体と、前記フィーダケースの搬送方向上手側の内部に架設された横向きの上手側回転軸と、前記上手側回転軸に備えられた上手側張設用輪体と、前記下手側張設用輪体と前記上手側張設用輪体とにわたって巻回されるとともに前記軸芯方向に間隔をあけて備えられた一対の無端回動体と、一対の前記無端回動体にわたって横向きに架設される複数の搬送部材と、前記一対の下手側張設用輪体同士の間において前記下手側回転軸に外挿される筒状の巻付き防止カバーとが備えられ、
前記巻付き防止カバーが、周方向に分割された複数の分割カバー体にて構成され、
前記下手側回転軸における前記一対の下手側張設用輪体同士の横方向中間側に隣接する箇所に位置して前記下手側回転軸に相対回転自在に支持される一対のボス部材と、一対の前記ボス部材同士を連結する連結部材とが備えられ、
前記巻付き防止カバーが前記連結部材を覆っている点にある。
【０００９】
本発明によれば、巻付き防止カバーを下手側回転軸の外周側に装着するときは、下手側回転軸の軸芯方向両側部が軸受け部材により支持されている状態で、下手側回転軸の径方向外方側から複数の分割カバー体を各別に装着することができる。巻付き防止カバーを取り外す場合にも、同様に、下手側回転軸の径方向外方側に向けて複数の分割カバー体を各別に取り外すことができる。
【００１０】
その結果、下手側回転軸の軸端を開放させて、巻付き防止カバーを軸芯方向にスライドさせて外挿したり外方に引き出す等の煩わしい作業が不要であり、巻付き防止カバーの取り付けや取り外しを能率よく行えるようにすることが可能となった。
【００１１】
【００１２】
また、本発明によれば、一対の下手側張設用輪体夫々の横方向中間側に隣接する箇所にボス部材が備えられ、一対のボス部材は連結部材により連結される。ボス部材は下手側回転軸に相対回転自在に支持されるので、下手側張設用輪体の近傍において下手側回転軸の外周部に排ワラ等が巻付いて堆積すること回避することができる。そして、連結部材の外周側が巻付き防止カバーにて覆われるので、連結部材が外方に露出することがなく、刈取穀稈が引っ掛かり堆積し難いものにできる。
【００１３】
本発明においては、前記巻付き防止カバーが前記連結部材に支持されていると好適である。
【００１４】
本構成によれば、一対のボス部材を連結するための連結部材を有効に利用して、巻付き防止カバーを安定的に支持することができる。
【００１５】
本発明においては、前記連結部材に、前記分割カバー体の周方向端部と重なり合う取付面が備えられていると好適である。
【００１６】
本構成によれば、分割カバー体の周方向端部を取付面に重ね合わせることで、連結部材と分割カバー体とを連結し易いものとなる。
【００１７】
本発明においては、前記連結部材のうち前記巻付き防止カバーの周方向における両端部に、前記取付面が備えられていると好適である。
【００１８】
本構成によれば、巻付き防止カバーを周方向における両端に備えられた取付面の夫々に連結することで、巻付き防止カバーを安定的に支持することができる。
【００１９】
本発明においては、前記分割カバー体における前記取付面への複数の締結箇所が、前記下手側回転軸の軸芯方向に沿って並ぶ状態で設けられていると好適である。
【００２０】
本構成によれば、分割カバー体が複数の締結箇所にて取付面に強固に連結することができる。しかも、複数の締結箇所が下手側回転軸の軸芯方向に沿って並ぶ状態で設けられるので、取付に必要なスペースを周方向に沿ってコンパクトなものにできる。
【００２１】
本発明においては、前記分割カバー体の周方向端部の両側又は一方において、前記分割カバー体のうち外周側に位置する前記分割カバー体が隣り合う前記分割カバー体と重なり合っていない箇所で前記取付面に締結されていると好適である。
【００２２】
本構成によれば、隣り合う分割カバー体と重なり合っていない箇所にて取付面に締結されている分割カバー体は、取付面との締結を解除すると、隣り合う分割カバー体と取付面との連結状態を維持したまま、当該分割カバー体だけを取り外すことができる。
【００２３】
本発明においては、前記連結部材が、前記各ボス部材に対して、一対の前記ボス部材の中間部側から各ボス部材側に向けて前記軸芯方向に沿ってボルト連結され、
前記巻付き防止カバーのうちのいずれかの前記分割カバー体によって、前記連結部材と前記ボス部材との連結箇所が覆われていると好適である。
【００２４】
本構成によれば、連結部材は、一対のボス部材の中間部側から各ボス部材側に向けて軸芯方向に沿ってボルト連結される。このように軸芯方向に沿ってボルト連結することで、連結部材を径方向に沿ってコンパクトな形状に収めることができる。
【００２５】
巻付き防止カバーによって連結部材とボス部材との連結箇所を覆うようにしたので、巻付き防止カバーは一対のボス部材にわたって設けられることになる。このように連結箇所の外周側が巻付き防止カバーにて覆われるので、連結箇所が外方に露出することがなく、刈取穀稈が引っ掛かり堆積し難いものにできる。
【００２６】
【００２７】
【００２８】
【００２９】
【００３０】
本発明においては、前記下手側回転軸よりも搬送方向上手側に位置して前記フィーダケースの内部に架設された横向きのフレーム体と、
前記巻付き防止カバーと前記フレーム体とにわたって設けられた接続部材とが備えられ、
前記巻付き防止カバーが、前記接続部材によって回り止めされた状態で前記フィーダケースに支持されていると好適である。
【００３１】
本構成によれば、フレーム体と巻付き防止カバーとにわたって備えられた接続部材により巻付き防止カバーが回り止めされる。このように、フィーダケースの内部に架設される状態で備えられる横向きのフレーム体を利用して、簡単な構成で巻付き防止カバーを回り止めすることができる。
【００３２】
本発明においては、前記接続部材が、前記複数の分割カバー体のうちのいずれかと前記フレーム体とにわたって設けられていると好適である。
【００３３】
本構成によれば、フレーム体に近い位置にある分割カバー体とフレーム体とを接続することで、接続部材を短くすることができ、構造の簡素化を図ることができる。
【００３４】
本発明においては、前記接続部材に、前記巻付き防止カバーに連結された第一接続体と、前記第一接続体に連結されるとともに前記フレーム体に接続された第二接続体とが備えられていると好適である。
【００３５】
接続部材は、巻付き防止カバーを回り止めするものであるから、例えば、接続部材が、巻付き防止カバーからフレーム体にわたって一連に連なる一体物にて形成されるものであれば、フィーダが組み付けられた後に、点検修理等のために接続部材を取り外す場合、下手側回転軸の軸芯周りで回動させることができないので、着脱作動が行い難いものになるおそれがある。
【００３６】
そこで、本構成によれば、接続部材が、巻付き防止カバーに連結された第一接続体と、フレーム体に接続された第二接続体とを備えるので、メンテナンス作業において接続部材を着脱させるときは、第一接続体と第二接続体との連結を解除させたり、相対的な姿勢を変更させる等により、着脱作業を容易に行うことができる。
【００３７】
本発明においては、前記接続部材は、前記巻付き防止カバーと前記フレーム体とにわたって設けられた縦向き姿勢の板状体であると好適である。
【００３８】
本構成によれば、接続部材は縦向き姿勢の板状体にて構成されるから、平面視で幅狭であり、巻付き防止カバーとフレーム体との間から落下するワラ屑等が引っ掛かり堆積するおそれが少ないものとなる。
【００３９】
本発明においては、前記巻付き防止カバーと前記フレーム体との間に、前記一対の下手側張設用輪体の間にわたって上下に開放された開放空間が形成されていると好適である。
【００４０】
本構成によれば、刈取穀稈が下手側張設用輪体と無端回動体との間に挟み込まれ、下手側張設用輪体と共に連れ回りしながら上方側の移動経路に移動することがあっても、開放空間を通して無端回動体の下側に位置する回動経路に落下する。その結果、回動経路に落下した刈取穀稈は、そこを通過する無端回動帯によって搬送方向下手側に向けて搬送され、滞留することを防止できる。
【００４１】
本発明においては、前記接続部材が、前記巻付き防止カバーと前記フレーム体とにわたって設けられた横向き姿勢の板状体であると好適である。
【００４２】
本構成によれば、長稈のワラ屑等が筒状の巻付き防止カバーに巻き付き始めたときに、横向き姿勢の板状体からなる接続部材により、軸芯方向に広い範囲にわたって、巻き付き始めたワラ屑を受止めることができる。その結果、ワラ屑等が筒状の巻付き防止カバーに巻き付くことを回避することができる。
【００４３】
本発明においては、前記巻付き防止カバーに、前記接続部材を載置支持するカバー側載置支持部が備えられていると好適である。
【００４４】
本構成によれば、接続部材の巻付き防止カバー側の端部がカバー側載置支持部に載置された状態で安定的に支持される。
【００４５】
本発明においては、前記フレーム体に、前記接続部材を載置支持するフレーム側載置支持部が備えられていると好適である。
【００４６】
本構成によれば、接続部材のフレーム体側の端部がフレーム側載置支持部に載置された状態で安定的に支持される。
【００４７】
本発明に係る普通型コンバインの特徴構成は、
機体前部の刈取部にて刈取られた刈取穀稈を機体後方に向けて搬送するフィーダが備えられ、
前記フィーダに、穀稈搬送用の筒型のフィーダケースと、前記フィーダケースの搬送方向下手側の内部に架設された横向きの下手側回転軸と、前記下手側回転軸の軸芯方向に間隔をあけて前記下手側回転軸に備えられた一対の下手側張設用輪体と、前記フィーダケースの搬送方向上手側の内部に架設された横向きの上手側回転軸と、前記上手側回転軸に備えられた上手側張設用輪体と、前記下手側張設用輪体と前記上手側張設用輪体とにわたって巻回されるとともに前記軸芯方向に間隔をあけて備えられた一対の無端回動体と、一対の前記無端回動体にわたって横向きに架設される複数の搬送部材と、前記一対の下手側張設用輪体同士の間において前記下手側回転軸に外挿される筒状の巻付き防止カバーとが備えられ、
前記巻付き防止カバーが、周方向に分割された複数の分割カバー体にて構成され、
前記一対の下手側張設用輪体夫々の前記軸芯方向外方側に、前記下手側回転軸を内挿して回転自在に支持する筒状支持部が備えられ、
前記下手側張設用輪体の前記軸芯方向外方側の側面に、前記筒状支持部の端部を覆う筒状の覆い部が備えられ、
前記筒状支持部の外周部のうち、前記覆い部によって覆われる箇所に、前記覆い部の内周部に向かって立ち上がる環状の鍔状部が備えられている点にある。
【００４８】
本発明によれば、下手側張設用輪体の軸芯方向外方側において、筒状の覆い部と環状の鍔状部とによって、下手側張設用輪体と筒状支持部の外周部との間の隙間が狭められるので、その隙間からワラ屑等が巻き込まれて堆積することを回避し易い。
また、本発明に係る普通型コンバインの特徴構成は、
機体前部の刈取部にて刈取られた刈取穀稈を機体後方に向けて搬送するフィーダが備えられ、
前記フィーダに、穀稈搬送用の筒型のフィーダケースと、前記フィーダケースの搬送方向下手側の内部に架設された横向きの下手側回転軸と、前記下手側回転軸の軸芯方向に間隔をあけて前記下手側回転軸に備えられた一対の下手側張設用輪体と、前記フィーダケースの搬送方向上手側の内部に架設された横向きの上手側回転軸と、前記上手側回転軸に備えられた上手側張設用輪体と、前記下手側張設用輪体と前記上手側張設用輪体とにわたって巻回されるとともに前記軸芯方向に間隔をあけて備えられた一対の無端回動体と、一対の前記無端回動体にわたって横向きに架設される複数の搬送部材と、前記一対の下手側張設用輪体同士の間において前記下手側回転軸に外挿される筒状の巻付き防止カバーとが備えられ、
前記巻付き防止カバーの上部面が、前記無端回動体の直線移動経路に沿う姿勢又は略沿う姿勢に形成されている点にある。
また、本発明に係る普通型コンバインの特徴構成は、
機体前部の刈取部にて刈取られた刈取穀稈を機体後方に向けて搬送するフィーダが備えられ、
前記フィーダに、穀稈搬送用の筒型のフィーダケースと、前記フィーダケースの搬送方向下手側の内部に架設された横向きの下手側回転軸と、前記下手側回転軸の軸芯方向に間隔をあけて前記下手側回転軸に備えられた一対の下手側張設用輪体と、前記フィーダケースの搬送方向上手側の内部に架設された横向きの上手側回転軸と、前記上手側回転軸に備えられた上手側張設用輪体と、前記下手側張設用輪体と前記上手側張設用輪体とにわたって巻回されるとともに前記軸芯方向に間隔をあけて備えられた一対の無端回動体と、一対の前記無端回動体にわたって横向きに架設される複数の搬送部材と、前記一対の下手側張設用輪体同士の間において前記下手側回転軸に外挿される筒状の巻付き防止カバーとが備えられ、
前記巻付き防止カバーの上部面が、前記フィーダケースの上手側ほど前記無端回動体の下側の直線移動経路に近づくように傾斜する傾斜面に形成されている点にある。
【図面の簡単な説明】
【００４９】
【図１】普通型コンバインの全体側面図である。
【図２】普通型コンバインの全体平面図である。
【図３】フィーダの縦断側面図である。
【図４】駆動軸配設部の横断平面図である。
【図５】駆動軸配設部の横断平面図である。
【図６】図４のＶＩ−ＶＩ線断面図である。
【図７】巻付き防止カバーの取付構造を示す分解斜視図である。
【図８】緊張輪の支持構造を示す横断平面図である。
【図９】別実施形態の駆動軸配設部の縦断側面図である。
【図１０】別実施形態の駆動軸配設部の縦断側面図である。
【発明を実施するための形態】
【００５０】
以下、本発明に係る普通型コンバインの実施形態を図面に基づいて説明する。
【００５１】
〔全体構成〕
図１及び図２に示すように、このコンバインは、左右一対のクローラ走行装置１を備えた走行機体２に、軸流型の脱穀装置３と穀粒貯留用の穀粒タンク４が左右に並列する状態で備えられるとともに、穀粒タンク４の前方に運転部５が備えられている。脱穀装置３の前部に横軸芯Ｐ１周りに上下揺動自在に刈取穀稈搬送用のフィーダ６が連結され、このフィーダ６の前端に略機体横幅に相当する刈幅を有する刈取部７が連結されている。走行機体２の後部には、穀粒タンク４に貯留されている穀粒を外部に排出する穀粒排出装置８が備えられている。
【００５２】
この実施形態で、機体の前後方向を定義するときは、作業状態における機体進行方向に沿って定義し、機体の左右方向を定義するときは、機体進行方向視で見た状態で左右を定義する。すなわち、図１，２に符号（Ｆ）で示す方向が機体前側、図１，２に符号（Ｂ）で示す方向が機体後側である。図２に符号（Ｌ）で示す方向が機体左側、図２に符号（Ｒ）で示す方向が機体右側である。図１は、普通型コンバインの全体を走行機体２の左側外方から目視した側面図である。
【００５３】
運転部５における運転座席９の下方にエンジン１０が搭載され、機体前部下方にミッションケース１１と主変速装置（図示せず）が備えられている。エンジン１０の動力が主変速装置にて変速されたのち、ミッションケース１１内の図示しない伝動機構を介して左右のクローラ走行装置１に伝達されるように走行伝動系が構成されている。エンジン１０の動力は、図示しない伝動機構を介して、フィーダ６、刈取部７、脱穀装置３等にも伝達される。
【００５４】
図１及び図２に示すように、刈取部７は、角パイプや断面Ｌ字形のアングル材等を連結して構成される刈取部フレーム１２に、背面を形成する背板１３、底面を形成する搬送デッキ１４、左右側面を形成する左右一対の側板１５の夫々を連結した枠組み構造体を構成している。搬送デッキ１４の前端に沿って左右の側板１５に亘ってバリカン型の刈取装置１６が備えられている。搬送デッキ１４の後部側の上方位置に、刈り取った穀稈を機体横幅方向中間側に向けて寄せ集めるように搬送する横送りオーガ１７が備えられている。この横送りオーガ１７は左右の側板１５に亘って架け渡されて回転自在に支持されている。
刈取部７の前部上側には、植立した作物を後方に掻き込む回転リール１８が備えられている。
【００５５】
横送りオーガ１７は、大径のオーガドラム１９の外周に、その回転に伴ってフィーダ６の前端部に向けて、横幅方向に沿って寄せ集めるように横送りする左右一対のスクリュー羽根２０が備えられる。又、横送りオーガ１７のうちフィーダ６の前端入口に臨む箇所に、横送りオーガ１７の回転に伴ってオーガドラム１９から出退する棒状の掻込み体２１が周方向の複数箇所に備えられている。
【００５６】
〔クローラ走行装置〕
クローラ走行装置１は、機体フレーム２２に固定されたトラックフレーム２３と、機体前部側に位置する駆動輪２４と、機体前後方向に並ぶ複数の接地転輪２５と、機体後部側に位置する緊張輪２６と、接地転輪２５の上方に位置する上側案内転輪２７と、無端状のクローラベルト２８とを備えている。駆動輪２４、複数の接地転輪２５及び上側案内転輪２７は、トラックフレーム２３に位置固定状態で支持されている。緊張輪２６は、トラックフレーム２３に対して前後方向に位置変更可能に支持されている。
【００５７】
緊張輪２６の支持構造について説明する。
図８に示すように、トラックフレーム２３は、角筒状に形成されており、後端部が開口している。この開口しているトラックフレーム２３の後端部に、角パイプ状のテンションフレーム２９が摺動自在に内嵌されている。テンションフレーム２９には横側方に向けて突出する支軸３０が固定されている。この支軸３０に、ベアリング３１を介して緊張輪２６が回転自在に外嵌支持されている。
【００５８】
トラックフレーム２３に対するテンションフレーム２９の前後位置を変更調整自在な位置調整機構３２が備えられている。位置調整機構３２は、トラックフレーム２３に備えられたネジ支持部３３と、テンションフレーム２９に備えられた雌ネジ部３４と、それらに亘る調整用ネジ軸３５とを備えている。
【００５９】
ネジ支持部３３は、調整用ネジ軸３５の前端部を受け止めて前方側への移動を阻止するとともに、回り止めする状態で支持している。雌ネジ部３４は、テンションフレーム２９に連結固定された保持具３６により回動が阻止された状態で保持される。詳述はしないが、ネジ支持部３３は、回り止め用の部材を取り外すことで、調整用ネジ軸３５に対する回り止め状態を解除可能であり、回り止め状態を解除して手動操作により調整用ネジ軸３５を回動させることで、調整用ネジ軸３５に螺合する雌ネジ部３４を介してテンションフレーム２９を前後方向に位置変更させることができる。
【００６０】
雌ネジ部３４を保持する保持具３６は、詳述はしないが、機体前後方向視で矩形状で且つ縦向き姿勢の板体からなり、テンションフレーム２９に溶接にて一体的に連結されている。保持具３６は、雌ネジ部３４がネジ送りされると、雌ネジ部３４及びテンションフレーム２９を一体的に前後方向に移動させることができるように大きな支持強度を備えている。
【００６１】
緊張輪２６は、径方向内方側に位置するボス部３７が、ベアリング３１を介して支軸３０に外嵌装着されている。ベアリング３１よりもトラックフレーム２３側のボス部３７と支軸３０との間には、オイルシール３８が備えられている。ボス部３７のトラックフレーム２３側の端部には、カラー部材３９が備えられている。
【００６２】
カラー部材３９の径方向内方側箇所は、支軸３０に形成された軸側段差部４０にて受止められてテンションフレーム２９側への移動が規制されている。カラー部材３９の径方向外方側のテンションフレーム２９側とは反対側箇所は、相対回動を許容しながらボス部３７のテンションフレーム２９側への移動を規制するようになっている。
【００６３】
カラー部材３９の径方向外方側のテンションフレーム２９側箇所には、径方向外方に向けて突出する外方突出部４１が形成されている。この外方突出部４１は、テンションフレーム２９側の端縁４１ａが保持具３６の外端面３６ａに接当するように寸法管理されている。外方突出部４１は、カラー部材３９と保持具３６との接触面積をできるだけ大きくするように大径にしながら、泥土が溜まらないように小さめの凹部４１ｂを有する形状にしている。
【００６４】
上記したようなカラー部材３９を備えることにより、クローラベルト２８の張力が掛かり、片持ち状に突出している支軸３０に力が作用しても、カラー部材３９が保持具３６と接当することで、支軸３０の折れ曲がりを回避して損傷を防止している。
【００６５】
〔フィーダ〕
フィーダ６について説明する。
図１及び図３に示すように、フィーダ６は、機体前部下方側に位置する刈取部７の後端部から機体後部上方側に位置する脱穀装置３の穀稈投入部にわたって延びる状態で設けられ、穀稈搬送用の角筒型のフィーダケース４２と、そのフィーダケース４２の内部に位置するチェーン回動式の搬送機構４３とを備えている。
【００６６】
チェーン回動式の搬送機構４３について説明する。
図１及び図３に示すように、フィーダケース４２の機体後部側に横向きの下手側回転軸としての駆動軸４４が架設され、フィーダケース４２の機体前部側に横向きの上手側回転軸としての従動軸４５が架設されている。駆動軸４４には、軸芯方向に間隔をあけて一対の下手側張設用輪体としての駆動スプロケット４６が備えられている。従動軸４５の径方向外方側には、従動軸４５と一体回転する状態で大径ドラム状の従動輪体４７が備えられている。
【００６７】
一対の駆動スプロケット４６の夫々と従動輪体４７とにわたって一対の無端回動体としての無端回動チェーン４８が巻回されている。一対の無端回動チェーン４８には、所定ピッチをあけて複数の搬送部材４９が横向きに架設されている。
【００６８】
図４に示すように、駆動軸４４を回動自在に支持する筒状支持部５０が左右一対の支点ブラケット５１を介して横軸芯Ｐ１周りで回動自在に脱穀装置３の前壁部に支持されている。そして、フィーダケース４２の左右両側の側壁４２Ａが筒状支持部５０に一体的に連結され、刈取部７を含むフィーダケース４２全体が横軸芯Ｐ１周りで上下揺動自在に脱穀装置３の前壁部に支持されている。
【００６９】
駆動軸４４は断面形状が六角形に形成され、この駆動軸４４に対して嵌り合う六角形の嵌合孔を備えた左右一対の駆動スプロケット４６が、軸芯方向に沿って間隔をあけて一体回転自在に外嵌装着されている。駆動スプロケット４６のボス部４６ａが角形嵌合状態で駆動軸４４に外嵌されている。ボス部４６ａは、径方向に沿って螺合装着される連結用ボルト５２によって駆動軸４４に締め付け固定されている。
【００７０】
図５に示すように、駆動スプロケット４６の軸芯方向外方側の側面に、筒状支持部５０の端部を覆う筒状の覆い部９０が一体的に延設される状態で備えられている。又、筒状支持部５０の外周部のうち、覆い部９０によって覆われる箇所に、覆い部９０の内周部に向かって立ち上がる環状の鍔状部９１が一体的に固定される状態で備えられている。このように構成することで、筒状支持部５０と駆動スプロケット４６との間の隙間にワラ屑等が入り込むことを防止している。
【００７１】
駆動軸４４は、フィーダケース４２の左右両側において横側外方に突出しており、左側の突出部にエンジン１０からの動力が伝達される入力プーリ５３が備えられ、右側の突出部には、刈取部７の各部に動力を伝達するための出力用スプロケット５４と伝動プーリ５５とが備えられている。
【００７２】
エンジン１０からの動力にて駆動軸４４が回転駆動されると、それに伴って一対の無端回動チェーン４８が回動して、刈取部７にて刈取られた刈取穀稈を機体後方に向けて搬送する。このとき、無端回動チェーン４８の下側に位置する直線移動経路Ｋにて刈取穀稈を搬送するように無端回動チェーン４８の回動方向が設定されている。無端回動チェーン４８に備えられた搬送部材４９が直線移動経路Ｋを移動するときに、フィーダケース４２の底面４２Ｂにて載置支持しながら搬送部材４９により刈取穀稈を押し移動させて機体後方に向けて搬送する。無端回動チェーン４８により搬送終端部まで搬送された後は、その搬送終端部から機体後方側に位置する脱穀装置３に向けて刈取穀稈が排出される。
【００７３】
従って、駆動軸４４に動力が伝達されて一対の無端回動チェーン４８が同方向に一体的に回動することにより、刈取部７から供給された作物をフィーダケース４２内において搬送部材４９にて搬送して脱穀装置３に供給するチェーン回動式の搬送機構４３が構成されている。
【００７４】
図３及び図４に示すように、駆動軸４４よりも搬送方向上手側箇所であって且つ駆動軸４４に近接する箇所に、横向きのフレーム体５６がフィーダケース４２内部に架設されている。フレーム体５６は、円筒状に形成されており、フィーダケース４２における左右両側の側壁４２Ａに夫々一体的に連結されている。
【００７５】
次に、フィーダ６における駆動軸４４周りの構成について説明する。
図４，５，６に示すように、駆動軸４４における一対の駆動スプロケット４６夫々の横方向中間側に隣接する箇所に、ベアリング５７を介して駆動軸４４に相対回転自在に外嵌される状態でボス部材５８が備えられている。
【００７６】
ボス部材５８は、連結用ボルト５２の外方側を覆う被覆部５９と、ベアリング５７を介して駆動軸４４に外挿される軸外挿部６０と、左右方向内方側を覆う内側覆い部６１とを備え、それらが金属材にて一体形成されている。内側覆い部６１における駆動軸４４に近接する箇所には、軸芯方向に幅狭の小径筒部６２が形成されている。ボス部材５８の外周部は滑らかな面に形成されており、ワラ屑等が引っ掛かるおそれが少なくなるようにしている。
【００７７】
一対のボス部材５８同士を連結する連結部材６３が備えられている。連結部材６３は、各ボス部材５８に対して、一対のボス部材５８の中間部側から各ボス部材５８側に向けて軸芯方向に沿ってボルト連結されている。
【００７８】
一対のボス部材５８夫々の左右方向内方側端部に、左右方向内方側すなわちボス部材５８の中間部側から当て付けて軸芯方向に沿ってボルト連結が可能な接続面５８ａが形成されている。連結部材６３は、平面視で略Ｕ字形に一体形成され、一対のボス部材５８夫々の接続面５８ａに当て付けられる縦向き姿勢の一対の連結部６５と、それら一対の連結部６５同士を連結する横向き姿勢の左右延設部６６とを備えている。
【００７９】
連結部材６３の左右両側の連結部６５を一対のボス部材５８の接続面５８ａに当て付けて、一対のボス部材５８の中間部側から各ボス部材５８側に向けて２本のボルト６７により軸芯方向に沿って連結する構成となっている。
【００８０】
図４〜７に示すように、連結部材６３は、後述する巻付き防止カバー６８を固定するための支持部７１が一体的に固定される状態で備えられている。支持部７１は、駆動軸４４の軸芯方向視で略Ｕ字形に形成され、巻付き防止カバー６８がボルト締結にて取り付けられる一対の取付面７１ａを備えている。図６に示すように、取付面７１ａは、連結部材６３のうち巻付き防止カバー６８の周方向における両端部に備えられている。
【００８１】
駆動軸４４における一対の駆動スプロケット４６夫々の横方向中間部に位置して駆動軸４４に外挿される筒状の巻付き防止カバー６８が備えられている。巻付き防止カバー６８は、周方向に分割された複数の分割カバー体にて構成されている。具体的には、第一分割カバー体６９と第二分割カバー体７０の２つに分割されている。
【００８２】
図６，７に示すように、第一分割カバー体６９は、ボス部材５８における小径筒部６２の外周部に外挿される半円の円弧状部分６９ａと、その円弧状部分６９ａから接線方向に直線状に延びる一対の延設部６９ｂとを備えた断面略Ｕ字状に形成されている。第二分割カバー体７０は軸芯方向視で略Ｕ字状に形成されている。第一分割カバー体６９及び第二分割カバー体７０は、周方向両側端部同士が重なり合い、駆動軸４４の外周部を覆うように位置して巻付き防止カバー６８を構成している。巻付き防止カバー６８は駆動軸４４だけでなく連結部材６３の外周部を覆っている。
【００８３】
巻付き防止カバー６８の取付構造について説明する。
巻付き防止カバー６８は、支持部７１に対してボルト・ナットによる締結にて連結されている。図５，６，７に示すように、巻付き防止カバー６８の軸芯方向両側端部において、２本のボルト７２とナット８０とにより、第一分割カバー体６９の一対の延設部６９ｂと第二分割カバー体７０の両側の周方向端部７０ａとが夫々連結されている。ナット８０は、第二分割カバー体７０の周方向端部７０ａの内面側に予め溶接固定されている（図７参照）。
【００８４】
駆動軸４４の軸芯方向に沿って両側端部よりも軸芯方向中央寄りに位置する２本のボルト７３とナット８１とにより、支持部７１と第二分割カバー体７０の両側の周方向端部７０ａとが連結されている。ナット８１は支持部７１の内面側に予め溶接固定されている（図６参照）。
【００８５】
駆動軸４４の軸芯方向における中央に位置する１本のボルト７４とナット８１により、第一分割カバー体６９の一対の延設部６９ｂ及び第二分割カバー体７０の両側の周方向端部７０ａとが支持部７１の両側に位置する取付面７１ａに対して共締め連結されている。
ナット８１は支持部７１の内面側に予め溶接固定されている（図６参照）。
【００８６】
第一分割カバー体６９の一対の延設部６９ｂと第二分割カバー体７０の両側の周方向端部７０ａとが、複数（５本）のボルト７２，７３，７４の締結により取付面７１ａに固定されている。第一分割カバー体６９の一対の延設部６９ｂの夫々と、第二分割カバー体７０の両側の周方向端部７０ａ夫々との接続箇所において、２つの分割カバー体６９，７０における取付面７１ａへの複数（５本）のボルト７２，７３，７４による複数の締結箇所が、駆動軸４４の軸芯方向に沿って並ぶ状態で設けられている。第二分割カバー体７０によって、連結部材６３、並びに、連結部材６３とボス部材５８との連結箇所が覆われている。
【００８７】
図７に示すように、第一分割カバー体６９における軸芯方向中央寄りの２本のボルト７３が対応する位置には、切欠き８２が形成されており、これら２本のボルト７３は、第一分割カバー体６９に対して締結作用を発揮しないようになっている。第一分割カバー体６９は第二分割カバー体７０に対して外周側に位置している。そして、第二分割カバー体７０は、周方向端部の両側において、外周側に位置する第一分割カバー体６９が隣り合う第二分割カバー体７０と重なり合っていない箇所で、取付面７１ａに締結されている。
【００８８】
巻付き防止カバー６８とフレーム体５６とにわたって設けられた縦向き姿勢の板状体からなる接続部材７５にて巻付き防止カバー６８が回り止めされている。フレーム体５６は左右方向両側部がフィーダケース４２に固定されているので、巻付き防止カバー６８は、回り止めされた状態でフィーダケース４２に支持されることになる。
【００８９】
接続部材７５が、連結部材６３を覆う第二分割カバー体７０とフレーム体５６とにわたって設けられている。図６に示すように、接続部材７５は、夫々が板状体にて形成される第一接続体７６と第二接続体７７とに分割されている。第一接続体７６は、第二分割カバー体７０に対して軸芯方向の中央位置において、溶接により一体的に固定されている。第二接続体７７は、第一接続体７６と２本のボルト７８で連結されており、フレーム体５６に対向する箇所には、フレーム体５６の円弧状の外周面に沿うように円弧状の凹入部７９が形成されている。
【００９０】
第一接続体７６は、第二分割カバー体７０に固定されているから、第一接続体７６と第二接続体７７とが連結されていない状態では、駆動軸４４の軸芯まわりの周方向での位置は任意に変更することができる。そして、第二接続体７７の凹入部７９がフレーム体５６の円弧状の外周面に沿うように当て付けられた状態で、第一接続体７６と第二接続体７７とをボルト７８で連結することにより、第一接続体７６の周方向での位置が定まることになる。
【００９１】
第一接続体７６と第二接続体７７との間のボルト連結箇所は、図示はしないが、いずれかのボルト挿通孔が長孔に形成されている。第二接続体７７の第一接続体７６に対する相対位置を変更調整して、円弧状の凹入部７９がフレーム体５６の外表面に接当する状態でボルト７８を締結して固定することができる。
【００９２】
その結果、接続部材７５が、ガタツキの生じない状態で、連結部材６３を覆う第二分割カバー体７０とフレーム体５６とにわたって設けられて、巻付き防止カバー６８を回り止めすることができる。
【００９３】
図３，６に示すように、連結部材６３を覆う第二分割カバー体７０の上部面７０ｂ（上側の周方向端部７０ａ）が、無端回動チェーン４８の直線移動経路に沿う姿勢又は略沿う姿勢に形成されている。第二分割カバー体７０の両側の周方向端部７０ａは平行姿勢であり、無端回動チェーン４８の下側の直線移動経路Ｋと第二分割カバー体７０の周方向端部７０ａとの間が開放された状態となる。従って、それらの間で刈取穀稈が搬送詰まりを起して堆積することを回避できる。尚、連結用のボルト７２，７３，７４の頭部は、刈取穀稈が引っ掛かるおそれが少なくなるように、滑らかな円弧状に形成されている。
【００９４】
図４に示すように、接続部材７５は縦向き姿勢の板状体にて構成されるので平面視で幅狭である。従って、巻付き防止カバー６８とフレーム体５６との間には、一対の駆動スプロケット４６の間にわたって上下に開放された開放空間Ｑが形成されている。
【００９５】
このように巻付き防止カバー６８とフレーム体５６との間に開放空間Ｑが形成されているから、長稈の刈取穀稈が、無端回動チェーン４８と駆動スプロケット４６とにより挟まれて連れ回りしながら上方側の移動経路に移動して、挟み込みが解除されて刈取穀稈が下方に落下することがあっても、刈取穀稈は、開放空間Ｑを通して無端回動チェーン４８の下側に位置する直線移動経路Ｋに落下するので他の刈取穀稈と共に後方に搬送され、搬送詰まりを起すおそれが少ないものとなる。
【００９６】
〔別実施形態〕
（１）上記実施形態では、フィーダケース４２の搬送方向下手側の下手側回転軸として動力が伝達される駆動軸４４を備え、フィーダケース４２の搬送方向上手側の上手側回転軸として従動軸４５を備える構成としたが、この構成に代えて、下手側回転軸として従動軸を備え、上手側回転軸として駆動軸を備える構成としてもよい。
【００９７】
（２）上記実施形態では、接続部材７５が、第二分割カバー体７０に溶接固定された第一接続体７６と、フレーム体５６に接続された第二接続体７７とを備える構成としたが、この構成に代えて、接続部材７５が一連に連なる一体物にて構成するものでもよい。
【００９８】
（３）上記実施形態では、接続部材７５が、巻付き防止カバー６８に対して軸心方向の中央位置に設けられる構成としたが、接続部材７５は、軸心方向の中央位置に限らず、軸心方向の両側端部に寄った位置に設けてもよい。
【００９９】
（４）上記実施形態では、第二分割カバー体７０の上部面７０ｂが、駆動軸４４とフレーム体５６との並び方向、すなわち、無端回動チェーン４８の直線移動経路に沿う姿勢に形成されたものを示したが、この構成に代えて、次のように構成してもよい。
図９に示すように、連結部材６３を覆う第二分割カバー体７０が、駆動軸４４とフレーム体５６との並び方向に対して下向きに傾斜した姿勢で組み付けられることで、第二分割カバー体７０の上部面７０ｂが、駆動軸４４とフレーム体５６との並び方向に対して、フレーム体５６側に位置するほど低い位置に位置する傾斜面に形成される構成としてもよい。
【０１００】
（５）上記実施形態では、接続部材７５が、巻付き防止カバー６８とフレーム体５６とにわたって設けられた縦向き姿勢の板状体であるものを示したが、この構成に代えて、図１０に示すように、接続部材７５が、巻付き防止カバー６８とフレーム体５６とにわたって設けられた横向き姿勢の板状体で構成してもよい。そして、この構成では、巻付き防止カバー６８に、接続部材７５を載置支持するカバー側載置支持部８３を備え、フレーム体５６に、接続部材７５を載置支持するフレーム側載置支持部８４を備える構成にするとよい。図１０に示す例では、第二分割カバー体７０の上部面７０ｂ（上側の周方向端部７０ａ）を利用してカバー側載置支持部８３が構成されているが、別体の支持部材を備えてもよい。
【０１０１】
（６）上記実施形態では、駆動スプロケット４６の軸芯方向外方側の側面に、筒状支持部５０の端部を覆う筒状の覆い部９０が備えられ、筒状支持部５０に覆い部９０の内周部に向かって立ち上がる環状の鍔状部９１が備えられる構成としたが、この構成に代えて、次のように構成してもよい。
駆動スプロケット４６の軸芯方向外方側の側面に、覆い部ではなく径方向に凹入する周溝を形成し、筒状支持部５０には鍔状部９１を備えることなく、筒状の軸端部がそのまま周溝の入り込む状態にして、駆動スプロケット４６の側面と筒状支持部５０の軸端部との間にワラ屑等が挟み込まれないようにするものでもよい。
【産業上の利用可能性】
【０１０２】
本発明は、機体前部の刈取部にて刈取られた刈取穀稈を機体後方に向けて搬送するフィーダが備えられた普通型コンバインに適用できる。
【符号の説明】
【０１０３】
６          フィーダ
４２        フィーダケース
４４        駆動軸（下手側回転軸）
４５        従動軸（上手側回転軸）
４６        駆動スプロケット（下手側張設用輪体）
４７        従動輪体（上手側張設用輪体）
４８        無端回動チェーン（無端回動体）
４９        搬送部材
５０        筒状支持部
５６        フレーム体
５８        ボス部材
６３        連結部材
６８        巻付き防止カバー
６９，７０  分割カバー体
７０ｂ      上部面
７１ａ      取付面
７５        接続部材
７６        第一接続体
７７        第二接続体
８３        カバー側載置支持部
８４        フレーム側載置支持部
９０        覆い部
９１        鍔状部
【図１】
0006639961.tif 000002
【図２】
0006639961.tif 000003
【図３】
0006639961.tif 000004
【図４】
0006639961.tif 000005
【図５】
0006639961.tif 000006
【図６】
0006639961.tif 000007
【図７】
0006639961.tif 000008
【図８】
0006639961.tif 000009
【図９】
0006639961.tif 000010
【図１０】
0006639961.tif 000011